【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
反転継ぎ目を有するマットレスカバーであって、
周囲縁部と、仕上げ面とを有する上部パネルと、
周囲縁部と、仕上げ面とを有するボーダー部分と、
を含み、
上部パネルの仕上げ面が上部パネルとボーダー部分との少なくとも一方における周囲縁部に沿ってボーダー部分の仕上げ面に面するようにして、上部パネルにボーダー部分が取り付けられ、かくして反転継ぎ目が形成され、
反転継ぎ目が、ボーダー部分と上部パネルとの仕上げ面の反対側で、前記上部パネルに取り付けたボーダー部分及び上部パネルを包囲するテープを更に含んでいるマットレスカバー。
【請求項２】
反転継ぎ目が平坦縫製される請求項１に記載のマットレスカバー。
【請求項３】
反転継ぎ目が、上部パネル及びボーダー部分の各仕上げ面側からは隠れて見えない請求項１または２に記載のマットレスカバー。
【請求項４】
反転継ぎ目に近接して上部パネル及びボーダー部分に取り付けた装飾性のウェルティングを更に含んでいる請求項１〜３の何れかに記載のマットレスカバー。
【請求項５】
マットレスであって、
複数のバネを有するマットレスコアと、
マットレスコア上に配置したマットレスカバーにして、少なくとも、上部カバーパネル及びボーダー部分と、２つの縁部を有する少なくとも１つのフランジとを含むマットレスカバーと、
を含み、
ボーダー部分が、隠れて見えない反転継ぎ目によって上部カバーパネルに取り付けられ、少なくとも１つのフランジの一方の端部が反転継ぎ目に取り付けられ、該フランジの他方の端部がバネに固定されるマットレス。
【請求項６】
マットレスコアが複数のバネと、該バネを包囲するトレーとを含んでいる請求項５に記載のマットレス。
【請求項７】
トレーがフォーム材から作製される請求項６に記載のマットレス。
【請求項８】
マットレスカバーが、ボーダー部分の自由周囲縁部に取り付けた底部パネルを更に含む請求項５〜７の何れかに記載のマットレス。
【請求項９】
装飾性のウェルティングが、マットレスカバーの外側面の反転継ぎ目に近接する位置に更に取り付けられる請求項５〜８の何れかに記載のマットレス。
【請求項１０】
反転継ぎ目を有するマットレスカバーの製造方法であって、
マットレスに面する未仕上げ面と、該未仕上げ面とは反対側の、就寝面を形成する仕上げ面と、を有するパネルをマットレス上に配置すること、
周囲部分と、自由周囲部分と、仕上げ面とを有するボーダー部分を、該ボーダー部分の周囲部分が前記パネルの周囲部分に近接し且つパネルの仕上げ面がボーダー部分の仕上げ面に面するように位置決めすること、
パネルとボーダー部分との少なくとも一方における周囲縁部に沿ってボーダー部分をパネルに固定することにより反転継ぎ目を形成すること、
ボーダー部分を、該ボーダー部分の仕上げ面がマットレスから外側に離れる方向を向くように反転継ぎ目とマットレスの一方の側とを覆って折り曲げ、かくして、反転継ぎ目がパネル及びボーダー部分の各仕上げ面から隠れて見えないようにすること、
を含む方法。
【請求項１１】
ボーダー部分及びパネルを包囲するようにテープを取付けること、及び、該テープを、ボーダー部分と、パネルとに、その周囲縁部に沿って固定することにより反転継ぎ目を形成すること、を更に含む請求項１０に記載の方法。
【請求項１２】
ボーダー部分及びパネルを包囲するようにテープを取付けること、及び、該テープを、ボーダー部分と、パネルとに、その周囲縁部に沿って固定することが、縫製、平坦縫製、のり付け、ヒートセット、ホチキス止め、の少なくとも１つによる止着を含む請求項１１に記載の方法。
【請求項１３】
平坦縫製が、テープと、ボーダー部分と、パネル部分とを貫いて周囲縁部に沿った縫製を含む請求項１２に記載の方法。
【請求項１４】
パネル部分の仕上げ面が、ボーダー部分の仕上げ面と直接接触している請求項１０〜１３の何れかに記載の方法。
【請求項１５】
ボーダー部分の自由周囲縁部に第２パネルを固定し、該第２パネルとボーダー部分との間でマットレスを包囲することを更に含む請求項１０〜１４の何れかに記載の方法。
【手続補正２】
【補正対象書類名】明細書
【補正対象項目名】００１７
【補正方法】変更
【補正の内容】
【００１７】
図３には、図２の反転継ぎ目２４０の組み立て状態、即ち、反転継ぎ目２４０を完成させた後、ボーダー部分２２０をマットレスの側部を覆って折り返した状態での拡大詳細図が示される。反転継ぎ目２４０は上部カバーパネル２１０とボーダー部分２２０とを、代表的には縫い目２５０を介して以下に説明するように連結する。上部カバーパネル２１０は、バネ構造に関する上部カバーパネル２１０の動作を制限するための、例えば斯界に知られたホグリング２５４あるいはその他の締め具を使用してバネユニット２４８にアンカー留めすることができる。その他の反転継ぎ目の実施例を図４Ａ〜図４Ｄを参照して以下に説明する。反転継ぎ目２４０を補強するために、２つの繊維層、つまり上部カバーパネル２１０とボーダー部分２２０との周囲にウェルティングテープ２８０を巻き付けることができる。
【手続補正３】
【補正対象書類名】明細書
【補正対象項目名】００１８
【補正方法】変更
【補正の内容】
【００１８】
反転継ぎ目２４０を備えたマットレスカバーと、そうしたマットレスカバーを有するマットレスのための組み立て方法の一例を以下に説明する。図４Ａ〜図４Ｄにはマットレスカバーの反転継ぎ目２４０の様々の実施例が概略例示されている。本組み立て方法は例示した全ての実施例に適用されるものとする。マットレスは、内側コイルバネユニットを既に取付け、随意的な上部フランジ２５２をバネユニット２４８に取り付けた、少なくとも部分的に前組み立てた状態で縫製ステーション（図示せず）位置で受けられる。上部カバーパネル２１０の仕上げ面２１２（就寝面）は外側を向いている。次いで、ボーダー部分２２０がマットレスの仕上げ面２１２上で、ボーダー部分２２０の仕上げ面２２２が上部カバーパネル２１０の仕上げ面２１２を向くようにして配置される。ボーダー部分２２０は、内側コイルバネユニットの角部分に近い部分をクランプする、あるいは、その他の位置決め用及びあるいは保持用手段を用いることにより、ボーダー部分２２０の上縁部が上部カバーパネル２１０の周囲部分と大体整合するように一時的に然るべく保持することができる。継ぎ目は、縫製中に最終的な位置決め調整をするオペレーターにより平坦縫製され得る。図４Ａに示す継ぎ目は、縫い目２５０をパネル２１０とボーダー部分２２０とに一回通し、随意的に、ウェルティングテープ２８０に二回通した単一継ぎ目として示される。先に図３を参照して言及したように、上部フランジ２５２は別個のストラップであり得、あるいは、上部カバーパネル２１０あるいはボーダー部分２２０の何れかと一体に形成することができる。
【手続補正４】
【補正対象書類名】明細書
【補正対象項目名】００１９
【補正方法】変更
【補正の内容】
【００１９】
図４Ｂ〜図４Ｄに示すように、上部カバーパネルとボーダー部分とを少なくとも１回折り曲げ、この折り曲げ部分で上部カバーパネル２１０の未仕上げ面２１４が相互に向き合うようにすることで反転継ぎ目を強化することができる。図４Ｂには上部フランジ２５２を上部カバーパネル２１０と一体形成した配列構成が示され、図４Ｃには上部フランジ２５２をボーダー部分２２０と一体形成した配列構成が示され、図４Ｄには、上部フランジ２５２を上部カバーパネル２１０及びボーダー部分２２０とは別のストラップとして形成した状態が示される。先に説明したように、ウェルティングテープ２８０は随意的なものであり、反転継ぎ目２４０の整列を助成し且つ補強するために設けることができる。
【手続補正５】
【補正対象書類名】明細書
【補正対象項目名】００２２
【補正方法】変更
【補正の内容】
【００２２】
先に言及したように、ウェルティングとしてのテープ２８０はコスト及び複雑性を低減させるために省略することができる。更に他の実施例では、従来マットレスに見られたような装飾性のウェルティングとしてのテープ（図２では番号２１６で示される）をボーダー部分２２０の外側、つまり仕上げ面２２２に取り付けるあるいは形成することができる。この技法は、一般にセルフウェルティングと称されるが、実際に反転継ぎ目２４０の一部分である必要はなく、この反転継ぎ目を形成する前あるいは後の何れかに、反転継ぎ目によって提供される組み立ての容易性を犠牲にすることなく、装飾的な縁部処理部分として追加され得るものである。
【手続補正６】
【補正対象書類名】図面
【補正対象項目名】図３
【補正方法】変更
【補正の内容】
【図３】
2006502813.tif 000001
【手続補正７】
【補正対象書類名】図面
【補正対象項目名】図４Ａ
【補正方法】変更
【補正の内容】
【図４Ａ】
2006502813.tif 000002
【手続補正８】
【補正対象書類名】図面
【補正対象項目名】図４Ｂ
【補正方法】変更
【補正の内容】
【図４Ｂ】
2006502813.tif 000003
【手続補正９】
【補正対象書類名】図面
【補正対象項目名】図４Ｃ
【補正方法】変更
【補正の内容】
【図４Ｃ】
2006502813.tif 000004
【手続補正１０】
【補正対象書類名】図面
【補正対象項目名】図４Ｄ
【補正方法】変更
【補正の内容】
【図４Ｄ】
2006502813.tif 000005